(57)【要約】【課題】機械化された移動農機による畝立及びポリシート繰出装置において、作業の簡易化をはかることができる装置の提供を目的とする。【解決手段】移動農機本体の後方にあって上下、左右方向に調整可能に取付けられたセンターパイプ１２と、該センターパイプに支持されて、支持フレーム２５を配備し、モータＡ２７の回転によってロータリ２８が、駆動軸Ａ２６の軸線上を移動し前記ロータリ２８の先端部に配置した円盤状カッター２９が、前方Ｕ字金具３９の上面部のポリフイルム１５ａを切断し双方のコマ３７、４０の接触によって、ポリフイルム１５ａを、数箇所の未切断処理を施した。さらに一方端にモータＢ４２を配備し、前記ポリフイルム１５ａの未切断処理位置、下部近傍に配置した、引出しベルト４３の駆動面に補助ロール４７を接触する事によってポリフイルムを繰出し可能にして成るポリシート切断繰出装置としてある。【選択図】        図１
2004159570.tif 000002
【特許請求の範囲】
【請求項１】
移動農機本体の後方に、動力源の駆動力によって栽培床を形成するための畝立作業を行うロータを取付けるとともに、該農機本体と一体に、得られた栽培床にポリシートを被覆する作業を実施するための機構を備えた移動農機の構成において、前記移動農機本体の後方にあって上下、左右方向に移動可能に取り付けられたセンターパイプと、該センターパイプに両側を回転自在にポリシートを支持、配置し、前記ポリシートの下部に切断用カッターを配置し，さらに前記カッターの下部に引出しベルトを配置した事を特長としたポリシート切断繰出装置。
【請求項２】
前記切断カッターは回転運動を直線運動に変化させる構成を持つロータリに円盤状カッターを配置し、円盤状カッター前方のＵ字金具上面部に位置されたポリフイルムを切断出来る様に構成した請求項１記載のポリシート切断繰出装置。
【請求項３】
ポリフイルムの切断は、全幅に対して、未切断箇所を数箇所設けて切断し、切断下部近傍のポリフイルム片面側を駆動伝達可能に構成し駆動伝達面と対面側に補助ロールを配置し前記補助ロールを接触する事によって，ポリシートを繰出し可能に構成した，ポリシート切断繰出装置
【請求項４】
ポリフイルム未切断処理下部位置に引出駆動装置を設けて駆動軸上に配備した駆動ロールと尾輪後方部と踏圧輪の中央部に従動ロールを配置し駆動ロールと従動ロールの外周面に平ベルトを伝達可能に配置しポリフイルムを踏圧輪の下部位置まで誘動する様に構成した、請求項１、２、３、記載のポリシート切断繰出装置。
【発明の詳細な説明】
【０００１】
【発明が属する技術分野】
本発明は、移動農機におけるポリシートの切断に関するものである。
【０００２】
【従来の技術】
一般に野菜とか里芋等の畝立とポリシートの繰出し及び土かけ作業を同時に行う作業は、通常トラクタとか管理機等の移動農機を用いて行われているが、図５〜図７に上記移動農機の一例を示す。即ち、車輪１，１を装備した農機本体２の後方にトップリンクＡｓｓｙ３とロワリンク４及びストラット５，５，フレーム５ａによりロータリケース６が支持されている。このロータリケース６は内部にスプロケット，チェーン，ベアリング等の動力伝達手段が設けられていて、駆動軸７を介してロータ８に回転力が伝達される。
【０００３】
更に前記フレーム５ａの後方にはブラケット９が連結されており、このブラケット９の後方に支持金具１１が前後調整可能に固定されており、さらに支持金具１１の先端にセンターサポート１２が上、下、調整可能に取付けられる。
【０００４】
また、センターサポート１２、左右両側は、支持具１３、１３が左右方向調整可能に取付けられて、支持具１３、１３に取付けられた、シャフト１６，１６とロール受け１４，１４によって回動自在にポリシート１５が取付けられる。さらに、ポリシート１５の繰出しブレーキをかける目的として、シャフト１６，１６の外周にスプリング１７，１７が取り付けられる。
【０００５】
前記、センターサポートの１２の後方に支持具１９によって支持されて、Ｌ字状の支持杆２０が挿通されていて、この支持杆２０の下端部に前記ポリフイルム１５ａをガイドするべくガイドロール１８が取付けられている。
【０００６】
前記、整形板１０、１０の上部には、サイドアーム２１、２１の先端部がボルト等によって固定されていて、このサイドアーム２１、２１の中間部に踏圧輪２２、２２が支持され、該、踏圧輪２２、２２の後方にサイドデスク２３、２３角度自在金具２４、２４により支持されている。そして、上記ポリシート１５から導出されたポリフイルム１５ａは、ガイドロール１８と踏圧輪２２、２２にガイドされながら後方に繰り出されている。
【０００７】
このような構成によれば、エンジンを始動して農機本体２を図５に示すフロントＦ方向へ進行させると、該エンジンの駆動力がロータリケース６に内臓されたスプロケット，チェーン，ベアリング等の動力伝達手段の作用に基づいてロータ８に伝えられて該ロ−タ８が回転し、土壌を内盛状に盛り上げ、次にロータ８の後方に位置する整形板１０，１０による整形作用によって畝立が行われる。
【０００８】
この時にポリシート１５は、左右両側がシャフト１６とスプリング１７によって圧力がかけられた状態となっており、このポリシート１５から引き出されたポリフイルム１５ａがガイドロール１８のフロント側から踏圧輪２２の下部に繰り出され、この踏圧輪２２によって押し付けられながらサイドデスク２３、２３によって土かけ作業が行なわれる。図８は、畝にポリフイルム１５ａを被覆して土１５ｂを被覆した部位の断面図である。
【０００９】
【考案が解決しようとする課題】
しかしながらこのような従来の機械化された移動農機による畝立及びポリシート繰出装置では、作業者の手作業に頼る部分が多く、煩瑣な操作が要求されるという課題があった。すなわち、管理機の場合には歩行しながら畝立作業を行なっている為、ポリフイルム１５ａの引き出し長さは短いが、トラクターの場合には、移動農機２がクラッチ等によって停止した際に、作業者が一旦降車して整形板１０の後方に移動し、ガイドロール１８を手で回しながら車輪１とサイドデスク２３の距離分に相当するポリフイルム１５ａを引き出す必要があり、さらに引き出したポリフイルム１５ａをカマとか他の刃物を用いて切断しなければならない。このような作業を繰り返し行なうことは作業自体が面倒になってしまい、作業者に肉体的及び精神的に大きな負担をかけてしまうことになる。
【００１０】
そこで本考案は、このような従来の移動農機が有している課題を解消して、作業者の手作業に頼ることなく、畝立作業とポリシート繰出及び切断作業を同時に行なうことによって作業の簡素化をはかることができる装置を提供することを目的とするものである。
【００１１】
【課題を解決するための手段】
本考案は、上記目的を達成するために、移動農機本体の後方に、動力源の駆動力によって栽培床を形成するための畝立作業を行なうロータを取付けるとともに、該農機本体と一体に得られた栽培床にポリシートを被覆する作業を実施するための機構を備えた移動農機の構成において、前記移動農機本体の後方にあって、上下、左右方向に調整可能に取付けられたセンターパイプと該センターパイプに支持され、一方端にモータが配備されているとともに、ポリシートを挟持して繰り出すための引出しベルトと補助ロールとを備えたロールシャフトと、引出しベルトを配設した駆動軸Ｂは、前記モータによって回転駆動出来る様に構成した。また、前記の上部に位置し、一方端にモータが配備されて、駆動軸Ａの回転によりその軸線上に配備したロータリが移動出来、さらにロータリの側面に円盤状のカッターを配置する構成にしてある。
【００１２】
前記、ロータリに配備した円盤状カッターは、駆動軸の軸線上に配備したＵ字金具線上を移動し、Ｕ字金具上面のポリフイルムを切断する。さらに、Ｕ字金具とロータリは、数箇所設置したコマによって、円盤状カッターがポリフイルムから離れるように動作し、このことによってポリフイルムは、未切断処理出来るように構成した。
【００１３】
また、ポリフイルム未切断箇所の下部に位置配備した、引出しベルトは、駆動軸上面部に配置した駆動ロールと踏圧輪前方に配置した補助ロールの外周面に配置し構成している。
【００１４】
【作用】
かかる構成にによれば、移動農機本体を進行させつつ畝立機構によって栽培床としての畝立作業を行ない、この状態で作業員のスイッチ操作により、駆動軸Ｂのモータを起動することにより、ポリシートから繰り出されたポリフイルムは、引出しベルトと補助ロールの間に挟持された状態を保って順次引き出される。この時にスプリングの付勢力によって補助ロールは、引出しベルト側に押し付けられている。
【００１５】
この状態でポリフイルムが一定の長さだけ引出された時に、前記モータの駆動を停止して、駆動軸Ａを駆動するモータが起動し駆動軸Ａの回転によってロータリが駆動軸線上に移動し、このロータリに取付けられた、円盤状カッタが前方に配置したＵ字金具上を動くことによってポリフイルムを全幅方向に切断する。
【００１６】
この時に、円盤上カッターは、Ｕ字金具側面部に取付けたコマによって、円盤上カッターは、未接触するように動作し、すなわちポリフイルムの全幅に対して数箇所、未切断部分が完成し、その未切断箇所部分に配置した引出しベルト及び補助ロールによってポリシートが繰出し可能になるのである。
【００１７】
こうして、前工程で切断されたポリシートは、駆動シャフトＢのモータを再度起動することにより、前工程で未処理部分を残して切断されたポリフイルムは、引出しベルト及び補助ロールに挟持されて踏圧輪下部まで未処理部分を繰り出してモータが停止し、トラクターは次の動作、すなわち次の畝立をするべく移動し、この時被覆畝とトラクターの移動によってポリフイルムが、引張られて未処理部分から切断されるものである。
【００１８】
【実施例】
以下図面を参照して本考案にかかる畝立装置の一実施例を、前記従来の構成と同一の構成部分に同一の符号を付して詳述する。図１に示した構成において、１２はセンターサポートであり、このセンターサポート１２には、支持フレーム２５、２５が左右方向調整可能に取付けられてロール受け１４、１４シャフト１６、１６スプリング１７、１７によってポリシート１５が回転自在に支持固定されている。また、支持フレーム２５、２５はセンターサポート１２によって左右方向に支持されて後方にＬ字形状で一体型に構成した。
【００１９】
ポリシート１５の下部位置に駆動軸Ａ２６を、ベアリングを介在して、支持フレーム２５、２５に回転自在に固定し、一方端にモータＡ２７を配備している。一方駆動軸Ａ２６の軸線上には、ロータリ２８を配備し、その前方に円盤状カッター２９を取付けている。
【００２０】
図２は、円盤状カッター部の詳細平面図、図３は、円盤状カッター部の詳細右側面図である。ロータリ２８の上部にブラケット３０を締付け固定し、カッタステー３１の中央部とピン３２にて連結し、後端は、ロッド３３とピン３４で連結した。ロッド３３の中央部はガイド３５を設けて支持固定しスプリング３６をガイド３５の後部に配置した。また、カッタステー３１の前方上部には円盤状カッター２９を装着し下部にはコマ３７をピン３８によって回転自在に固定した。前記、円盤状カッター２９の前部には、駆動軸Ａ２６と平行にＵ字金具３９を支持フレーム２５、２５へ配置し前記Ｕ字金具線上の下端部にコマ４０をベアリングを介在して回転自在に取付けている。
【００２１】
一方、駆動軸Ａ２６の下部に駆動軸Ｂ４１を支持フレーム２５、２５にベアリングを介在して回転自在に固定し、一方端にモータＢ４２を配備した。また、駆動軸Ｂ４１の軸線上に前記、コマ４０配置箇所に引出しベルト４３、４３を配置し踏圧輪２２の下部前方に配備した従動ロール４４、４４と駆動軸Ｂに配置した駆動ロール４５、４５と伝達可能に構成した。
【００２２】
駆動軸Ｂ４１の前方にロールシャフト４６を配置し引出しベルト４３、４３と略平行に補助ロール４７、４７を回動自在に配置した。一方、ロールシャフト４６の両端は、プレート４８、４８で固定し、このプレートのロールシャフト４６側と支持フレーム２５、２５とスプリング４９、４９によって連結されて、ピン５０、５０を支点として、矢印ａ方向に回動出来、かつ補助ロール４７、４７と引出しベルト４３、４３は、密着可能であり、さらにロールシャフト４６、４６の中央部に設けた金具５１と、トラクター座席近傍に配置した（図に示さず）レバーとワイヤー５２によって連結されて、このレバーの動作によって補助ロール４７、４７と引出しベルト４３、４３は、密着及び解除可能に構成した。
【００２３】
かかる構成を有する本実施例の作用を以下に説明する。即ち、エンジンを始動して移動農機を進行させながら所定の畝立作業を行ない、この状態で作業員が手元に設置したレバー（図示せず）の動作することによって、ワイヤー５２及び金具５１を経由して、補助ロール４７と引出しベルト４３は密着される。
【００２４】
この状態において作業員は、モータＡ２７の手元スイッチを操作することによって駆動軸Ａ２６は回転し、回転力を軸線上に変換する機構を持つロータリ２８は、駆動軸Ａ２６の軸線上を移動する。この時、前方に装着した円盤状カッター２９は、Ｕ字金具３９の上面部のポリフイルム１５ａを切断しながら進行する。
【００２５】
さらに、移動にともないＵ字金具３９に装着した、コマ４０と円盤状カッター２９の下部位置に配置したコマ３７と接触する事によって、図２の矢印ｂ方向に移動しこの時、ポリフイルム１５ａと円盤状カッター２９は、未接触となり、即ち、ポリフイルムは未切断処理されて、ロータリ２９は、更に移動しコマ４０とコマ３７の接触位置を通過する事によってスプリング３６の作用により、押付けられてロッド３３が作用し、カッターステー３１は正規の位置に復帰するのでポリフイルムの切断が再開しコマ４０の箇所においてポリフイルムは、未切断処理される。
【００２６】
次に、モータＢ４２の手元スイッチを操作することによって駆動軸Ｂ４１が回転しその軸上に配置した駆動ロール４５が回転し引出しベルト４３が駆動出来る。この時に、前記においてポリフイルム１５ａの未切断箇所に配置した引出しベルト４３と補助ロール４７は、密着の状態となっているため、ポリシート１５の繰出しが開始する。こうしてポリフイルム１５ａは、引出しベルト４３と補助ロール４７に挟持されて繰り出され、踏圧輪２２下部付近まで誘動されてモータＢ４２の駆動を停止する。
【００２７】
次に、作業員はロータリ７を含めた畝立装置を油圧操作によって上昇し、次の畝立作業をするべくトラクターを移動する。この時にポリフイルム１５ａの片側は、図８の状態で被覆されておりトラクターを前方へ移動する事によって未切断処理部分が引張られて完全に切断されて次の畝立作業を開始すれば良い。畝立作業をする時は、レバーを元の位置に戻して補助ロール４７を引出しベルト４３より切り離す事によって、可能となるのである。
【００２８】
【発明の効果】
以上詳細に説明した如く、本考案にかかる移動農機におけるポリシート切断繰出装置を用いることによって以下に記す作用効果がもたらされる。即ち、移動農機本体によって栽培床としての畝立作業を行ないながら、作業員の手元のレバー操作により補助ロールを引出しベルトに密着させることによってポリフイルムを引出し可能としさらに、モータＡを起動する事によってロータリの前方に配置した円盤状カッターがＵ字金具に配置したコマによって未切断処理されながらポリフイルムを切断し、その後、モータＢを起動することによって、引出しベルトと補助ロールの間に挟持されながらポリフイルムを繰出す事が可能となった。
【００２９】
従って本考案では、畝立作業とポリシート繰出及び切断作業を同時にしかも半自動的に行なうことによって、従来の機械化された移動農機によるポリシート繰出操作と刃物による切断等の煩瑣な作業がなくなり、作業者に及ぼす肉体的及び精神的な負担を軽減して、作業の簡易化をはかることができるという大きな効果が得られる。
【図面の簡単な説明】
【図１】本考案にかかる移動農機におけるポリシート切断繰出装置の要部を示す斜視図
【図２】円盤状カッタ部の詳細平面図
【図３】円盤状カッター部の詳細右側面図
【図４】ポリシートの繰出しにおける位置関係を示す右側面図
【図５】従来の移動農機の一例を示す正面図
【図６】図５の右側面図
【図７】図５の上面図
【図８】従来のポリシートを被覆した部位の断面図
【符号の説明】
１２  …センターサポート
１４  …ロール受け
１５  …ポリシート
１５ａ…ポリフイルム
２２  …踏圧輪
２５  …支持フレーム
２６  …駆動軸Ａ
２７  …モータＡ
２８  …ロータリ
２９  …円盤状カッター
３７、４０  …コマ
３９  …Ｕ字金具
４１  …駆動軸Ｂ
４２  …モータＢ
４３  …引出しベルト
４４  …従動ロール
４５  …駆動ロール
４７  …補助ロール
【図１】
2004159570.tif 000003
【図２】
2004159570.tif 000004
【図３】
2004159570.tif 000005
【図４】
2004159570.tif 000006
【図５】
2004159570.tif 000007
【図６】
2004159570.tif 000008
【図７】
2004159570.tif 000009
【図８】
2004159570.tif 000010